(57)【要約】【課題】  電子番組ガイド機能を用い効率よい画面表示とカーソル移動を可能とする番組表表示装置を提供する。【解決手段】  電子番組ガイド表示機能と、番組表を放送チャンネル毎に並べ、番組放送中のチャンネルを表示しそうでないチャンネルを表示せず、放送終了のチャンネルを表示から消し、放送開始のチャンネルを表示に戻し、消えた場所を他のチャンネルで詰め、復活したチャンネルを元の並びに割り込み表示できる表示制御機能と、時間軸方向あるいはチャンネル選択軸方向に移動させて任意の番組情報を選択するカーソル表示機能を有していること特徴とする。消えた場所をそのままにして、カーソルをスキップさせてもよい。消えた場所を詰めるか残すかを切り替え可能としてもよい。検出手段で映像音声信号の有無により放送の有無を判断してもよい。ユーザーの選択したチャンネルの番組表だけを表示可能としてもよい。【選択図】    図２
2006093970.tif 000002
【特許請求の範囲】
【請求項１】
常に最新の情報に更新されたリアルタイムの番組情報を表示できる電子番組ガイド表示機能と、時系列に番組情報が並べられた番組表を放送チャンネル毎に横または縦に並べて表示するとともに、現在番組を放送中であるチャンネルの番組表を表示し、現在番組を放送中でないチャンネルの番組表を表示せず、一連の番組の放送が終了したチャンネルの番組表を表示から消し、一連の番組の放送が開始されたチャンネルの番組表を表示に戻し、消えたチャンネルの番組表があったところは他のチャンネルの番組表を詰めて表示し、復活したチャンネルの番組表が元の並びに基づいて割り込んだところは他のチャンネルの番組表を移動させて表示することのできる表示制御機能と、カーソルを時間軸方向あるいはチャンネル選択軸方向に移動させて任意の番組情報を選択することができるカーソル表示機能と、を有していること特徴とする番組表表示装置。
【請求項２】
常に最新の情報に更新されたリアルタイムの番組情報を表示できる電子番組ガイド表示機能と、時系列に番組情報が並べられた番組表を放送チャンネル毎に横または縦に並べて表示するとともに、現在番組を放送中であるチャンネルの番組表を表示し、現在番組を放送中でないチャンネルの番組表を表示せず、一連の番組の放送が終了したチャンネルの番組表を表示から消し、一連の番組の放送が開始されたチャンネルの番組表を表示に戻し、消えたチャンネルの番組表があったところは表示のないままとし、復活したチャンネルの番組表を元の場所に復元させて表示することのできる表示制御機能と、表示のないチャンネル部分をスキップするカーソルを時間軸方向あるいはチャンネル選択軸方向に移動させて任意の番組情報を選択することができるカーソル表示機能と、を有していること特徴とする番組表表示装置。
【請求項３】
常に最新の情報に更新されたリアルタイムの番組情報を表示できる電子番組ガイド表示機能と、時系列に番組情報が並べられた番組表を放送チャンネル毎に横または縦に並べて表示するとともに、現在番組を放送中であるチャンネルの番組表を表示し、現在番組を放送中でないチャンネルの番組表を表示せず、一連の番組の放送が終了したチャンネルの番組表を表示から消し、一連の番組の放送が開始されたチャンネルの番組表を表示に戻し、消えたチャンネルの番組表があったところは他のチャンネルの番組表を詰めて表示し復活したチャンネルの番組表が元の並びに基づいて割り込んだところは他のチャンネルの番組表を移動させて表示するか、または、消えたチャンネルの番組表があったところは表示のないままとし復活したチャンネルの番組表を元の場所に復元させて表示するか、の表示切り替えもできる表示制御機能と、表示のないチャンネル部分をスキップするカーソルを時間軸方向あるいはチャンネル選択軸方向に移動させて任意の番組情報を選択することができるカーソル表示機能と、を有していること特徴とする番組表表示装置。
【請求項４】
各チャンネルが現在放送中か放送中でないかを常に監視するために各チャンネルの映像音声信号を検出できる検出手段を備え、検出結果に基づき、映像音声信号を検出できたチャンネルを現在番組を放送中であるチャンネルと判断して番組表を表示し、映像音声信号を検出できないチャンネルを現在番組を放送中でないチャンネルと判断して番組表を表示せず、映像音声信号が検出できなくなったチャンネルを一連の番組の放送が終了したチャンネルと判断して番組表を表示から消し、映像音声信号が検出できるようになったチャンネルを一連の番組の放送が開始されたチャンネルと判断して番組表を表示に戻すことを特徴とする請求項１、２または３記載の番組表表示装置。
【請求項５】
全チャンネルの内、番組表を表示可能なチャンネルをユーザーの選択によって限定できること特徴とする請求項１、２または３記載の番組表表示装置。
【発明の詳細な説明】
【技術分野】
【０００１】
この発明は、電子番組ガイド機能（ＥＰＧ）による番組表を表示する機能を有した番組表表示装置に関するものである。
【背景技術】
【０００２】
番組表表示装置は、テレビや記録再生装置と組み合わせたり組み込んで利用されることが多い。電子番組ガイド機能に対応した番組表表示装置は、リアルタイムで更新される最新の番組表を見ることができる。従来の番組表表示装置は、図７に示したように、電子番組ガイドを表示するかしないかだけの、単純な制御が行われている。番組表表示装置のユーザーは、カーソルを操作して希望するチャンネルと番組を選択することができる。カーソルは、チャンネル選択軸方向と時間軸方向の移動量のカウントによって移動する。たとえば、今カーソルのある位置から数えて、２つ隣りにあるチャンネルに移動するにはチャンネル選択軸方向に２の移動量が必要であり、そこからさらに２つ後の番組を選択するためには時間軸方向に２の移動量が必要となる。電子番組ガイドで各チャンネルにおける一連の番組の放送を表示する番組表は、時系列に並んだ連続する番組情報の流れであるが、放送開始から放送終了までの間の放送中の時間帯と、放送終了から放送開始までの間の放送の無い時間帯が存在する。放送開始時間と放送終了時間は各チャンネルによって異なり統一されてはいない。夜間になると徐々に放送が終了したチャンネルが増え、番組情報の無い空白部分も増える。カーソルは番組情報部分も空白部分も同じように移動し、空白部分もカーソルの移動量に含まれてカウントされる。
【０００３】
従来の番組表表示装置には、たとえば、番組のマトリクス表を作成しカーソル移動指示入力で所定単位量移動させる特開平９−３２２０８８の「番組案内表示制御装置及びテレビジョン受像機」や、電子番組ガイドを表示画面上で３次元表示してユーザーが直感的に番組内容の検索や選択操作を可能にする特開２００１−１６９１９７の「電子番組ガイド表示制御装置及びその方法並びにその制御プログラムを記録した記録媒体」や、上下左右の４個のカーソルキーを使用し文字列で表現した番組セルで番組表を作成し選択することのできる特開２００１−３０９２６６の「電子番組ガイド表示装置」がある。しかし、どの装置も、前記したように、一連の番組の放送が終了して夜間になると空白部分が増加してくることと、番組情報が有る部分も空白の部分もカーソルの移動量に同様にカウントされることは、共通している。
【特許文献１】特開平９−３２２０８８号公報
【特許文献２】特開２００１−１６９１９７号公報
【特許文献３】特開２００１−３０９２６６号公報
【発明の開示】
【発明が解決しようとする課題】
【０００４】
上記した従来の番組表表示装置には、大きな問題点が２つある。１つは、放送を終了したチャンネルの空白部分もカーソルの移動量に含まれている点である。空白部分のカーソル移動量が無駄であり、その分カーソルの移動に時間と手間がかかり、ユーザーの負担を大きくしている。１つは、放送終了と放送開始の間の空白が放送を終了したチャンネルが増えるとともに増加して表示画面をしだいに埋めてゆく点である。画面の無駄であり効率性がよくない。空間が点々とあいたまばらな番組表は見づらく、番組を探しにくい。放送終了しているチャンネルの時間表もユーザーの視点移動量に含まれ、その分番組の検索に無駄な労力が生じている。画面の空白部分が増え、番組情報がまばらに表示され、その画面の中でカーソル移動をするとなると、番組表の利便性が大きく損なわれる。
【０００５】
本発明は、上記の問題を解決した番組表表示装置を提供することを目的とする。
【課題を解決するための手段】
【０００６】
請求項１に係る本発明の番組表表示装置は、常に最新の情報に更新されたリアルタイムの番組情報を表示できる電子番組ガイド表示機能と、時系列に番組情報が並べられた番組表を放送チャンネル毎に横または縦に並べて表示するとともに、現在番組を放送中であるチャンネルの番組表を表示し、現在番組を放送中でないチャンネルの番組表を表示せず、一連の番組の放送が終了したチャンネルの番組表を表示から消し、一連の番組の放送が開始されたチャンネルの番組表を表示に戻し、消えたチャンネルの番組表があったところは他のチャンネルの番組表を詰めて表示し、復活したチャンネルの番組表が元の並びに基づいて割り込んだところは他のチャンネルの番組表を移動させて表示することのできる表示制御機能と、カーソルを時間軸方向あるいはチャンネル選択軸方向に移動させて任意の番組情報を選択することができるカーソル表示機能と、を有していること特徴とする。
【０００７】
請求項２に係る本発明の番組表表示装置は、常に最新の情報に更新されたリアルタイムの番組情報を表示できる電子番組ガイド表示機能と、時系列に番組情報が並べられた番組表を放送チャンネル毎に横または縦に並べて表示するとともに、現在番組を放送中であるチャンネルの番組表を表示し、現在番組を放送中でないチャンネルの番組表を表示せず、一連の番組の放送が終了したチャンネルの番組表を表示から消し、一連の番組の放送が開始されたチャンネルの番組表を表示に戻し、消えたチャンネルの番組表があったところは表示のないままとし、復活したチャンネルの番組表を元の場所に復元させて表示することのできる表示制御機能と、表示のないチャンネル部分をスキップするカーソルを時間軸方向あるいはチャンネル選択軸方向に移動させて任意の番組情報を選択することができるカーソル表示機能と、を有していること特徴とする。
【０００８】
請求項３に係る本発明の番組表表示装置は、常に最新の情報に更新されたリアルタイムの番組情報を表示できる電子番組ガイド表示機能と、時系列に番組情報が並べられた番組表を放送チャンネル毎に横または縦に並べて表示するとともに、現在番組を放送中であるチャンネルの番組表を表示し、現在番組を放送中でないチャンネルの番組表を表示せず、一連の番組の放送が終了したチャンネルの番組表を表示から消し、一連の番組の放送が開始されたチャンネルの番組表を表示に戻し、消えたチャンネルの番組表があったところは他のチャンネルの番組表を詰めて表示し復活したチャンネルの番組表が元の並びに基づいて割り込んだところは他のチャンネルの番組表を移動させて表示するか、または、消えたチャンネルの番組表があったところは表示のないままとし復活したチャンネルの番組表を元の場所に復元させて表示するか、の表示切り替えもできる表示制御機能と、表示のないチャンネル部分をスキップするカーソルを時間軸方向あるいはチャンネル選択軸方向に移動させて任意の番組情報を選択することができるカーソル表示機能と、を有していること特徴とする。
【０００９】
請求項４に係る本発明の番組表表示装置は、請求項１、２または３記載の番組表表示装置において、各チャンネルが現在放送中か放送中でないかを常に監視するために各チャンネルの映像音声信号を検出できる検出手段を備え、検出結果に基づき、映像音声信号を検出できたチャンネルを現在番組を放送中であるチャンネルと判断して番組表を表示し、映像音声信号を検出できないチャンネルを現在番組を放送中でないチャンネルと判断して番組表を表示せず、映像音声信号が検出できなくなったチャンネルを一連の番組の放送が終了したチャンネルと判断して番組表を表示から消し、映像音声信号が検出できるようになったチャンネルを一連の番組の放送が開始されたチャンネルと判断して番組表を表示に戻すことを特徴とする。
【００１０】
請求項５に係る本発明の番組表表示装置は、請求項１、２または３記載の番組表表示装置において、全チャンネルの内、番組表を表示可能なチャンネルをユーザーの選択によって限定できることを特徴とする。
【００１１】
上記した番組表表示装置は、リアルタイムに表示され情報が更新される電子番組ガイドにおいて、番組が終了したときにはそのチャンネルの番組表の表示を自動でキャンセルすることにより、無駄をなくして効率的な表示が可能となり、カーソルでの移動が楽になる。
【発明の効果】
【００１２】
請求項１記載の番組表表示装置によれば、放送可能な全チャンネルの番組表の中から、放送終了から放送開始までの間の現在放送をしていないチャンネルの番組表の表示を消して、その消えたところを現在放送をしているチャンネルの番組表を詰めて表示することができるため、チャンネルとチャンネルの間に空間ができない。チャンネル間に無駄な空間をつくらないため、画面を効率的に使用することができる。放送中のチャンネルのみで番組表を構成できるので、非常に見やすくなり、番組を探しやすくなる。カーソル移動においても、チャンネル間に放送の終了している無駄な空間がないため、チャンネル選択軸方向に移動する際に無駄な移動量をカウントしないですみ、その分の時間と手間を省略することができる。電子番組ガイドを用いた番組表の利便性を高めることになる。
【００１３】
請求項２記載の番組表表示装置によれば、放送可能な全チャンネルの番組表の中から、放送終了から放送開始までの間の現在放送をしていないチャンネルの番組表の表示を消して、その消えたところは表示のないままとするため、放送をしていないチャンネルの番組情報を表示するという無駄がなく、番組を探しやすくなる。カーソル移動においても、表示のない部分は従来の空白部分と異なり、カーソルは表示の消えたチャンネル部分を移動量としてカウントせずにスキップするため、チャンネル選択軸方向に移動する際に無駄な移動量をカウントしないですみ、その分の時間と手間を省略することができる。電子番組ガイドを用いた番組表の利便性を高めることになる。
【００１４】
請求項３記載の番組表表示装置によれば、放送可能な全チャンネルの番組表の中から、放送終了から放送開始までの間の現在放送をしていないチャンネルの番組表の表示を消して、その消えたところを現在放送をしているチャンネルの番組表を詰めて表示するか、または、表示のないままとするか、どちらでも切り替えてユーザーの好きなほうを選択することができる。詰める表示方法を選択した場合、チャンネル間に無駄な空間をつくらないため、画面を効率的に使用することができる。放送中のチャンネルのみで番組表を構成できるので、非常に見やすくなり、番組を探しやすくなる。カーソル移動においても、チャンネル間に放送の終了している無駄な空間がないため、チャンネル選択軸方向に移動する際に無駄な移動量をカウントしないですみ、その分の時間と手間を省略することができる。もう一方の表示のないままとする表示方法を選んだ場合、放送をしていないチャンネルの番組情報を表示するという無駄がなく、番組を探しやすくなる。カーソル移動においても、表示のない部分は従来の空白部分と異なり、カーソルは表示の消えたチャンネル部分を移動量としてカウントせずにスキップするため、チャンネル選択軸方向に移動する際に無駄な移動量をカウントしないですみ、その分の時間と手間を省略することができる。電子番組ガイドを用いた番組表の利便性を高めることになる。
【００１５】
請求項４記載の番組表表示装置によれば、各チャンネルの映像音声信号の検出によって、チャンネルが放送中であるか、放送中でないか、放送開始したか、放送終了したか、を判断することができ、それによって各チャンネルの番組表を表示するか、しないか、消すか、元に戻すかの表示制御が可能となる。
【００１６】
請求項５記載の番組表表示装置によれば、ユーザーの選んだチャンネルで番組表を組むことができ、ユーザーが表示するのを無駄と判断したチャンネルを番組表の表示から削除することができる。ユーザーはお好みのチャンネルで番組表を作成することが可能となり、その選択された各チャンネルの中で、現在番組を放送中であるチャンネルの番組表を表示し、現在番組を放送中でないチャンネルの番組表を表示せず、一連の番組の放送が終了したチャンネルの番組表を表示から消し、一連の番組の放送が開始されたチャンネルの番組表を表示に戻す、表示制御が可能となる。必要と判断されたチャンネルに番組情報が絞られるので、無駄な番組情報を表示することがなく、カーソルによる番組選択もより効率的に行うことができる。番組表がコンパクトになる分、見やすくなり、番組を探しやすくなる。電子番組ガイドを用いた番組表の利便性を高めることになる。
【発明を実施するための最良の形態】
【００１７】
以下、本発明に係る番組表表示装置を実施するための最良の形態の一例について図を参照しながら説明するが、本発明は本実施の形態にのみ限定されるべきものではない。
【００１８】
図１は、アンテナ１０、チューナー１１、映像音声信号処理部１２、マイコン１３、メモリ１４、データ処理部１５、表示部１６、から構成された番組表表示装置２０である。図２は番組表表示装置２０による制御方法の一例である。番組表表示装置２０は、常に最新の情報に更新されたリアルタイムの番組情報を表示できる電子番組ガイド表示機能を有している。電子番組ガイドの表示は、時系列に番組情報が並べられた番組表を放送チャンネル毎に横または縦に並べて表示するとともに、現在番組を放送中であるチャンネルの番組表を表示し、現在番組を放送中でないチャンネルの番組表を表示せず、一連の番組の放送が終了したチャンネルの番組表を表示から消し、一連の番組の放送が開始されたチャンネルの番組表を表示に戻す、表示制御手段によって制御されている。常に映像音声信号はチャンネルの検出手段によって監視されている。検出手段は、各チャンネルの映像音声信号の有・無・終了・開始によって、各チャンネルの放送中・放送中でない・放送終了・放送開始を判断する。判断結果に応じて表示制御手段は番組表の表示を制御する。放送が終了した時点でチャンネルの番組表は自動的に消去されるようにする。放送が開始された時点でチャンネルの番組表は自動的に表示復元してもよいし、再度番組表表示を指示した時点でもよいし、任意のキーを押した時点としてもよい。表示制御手段は、消えたチャンネルの番組表があったところは他のチャンネルの番組表を詰めて表示し復活したチャンネルの番組表が元の並びに基づいて割り込んだところは他のチャンネルの番組表を移動させて表示するか、または、消えたチャンネルの番組表があったところは表示のないままとし復活したチャンネルの番組表を元の場所に復元させて表示するか、どちらの表示方法による表示も切り替えて選択することが可能である。表示のないままとした場合、カーソルは表示のないチャンネルをスキップしてチャンネル選択軸方向に移動することが可能となる。
【００１９】
番組表表示装置２０による具体的な表示方法を一例をあげて説明する。まずＥＰＧ（電子番組ガイド）表示がＯＮモードで、ＥＰＧ表示ＯＦＦ条件がＮＯで、検出手段による信号有無が有った場合そのチャンネルの番組表はＥＰＧ表示し、検出手段による信号有無が無い場合そのチャンネルの番組表は表示無しで、情報無し時の設定が表示ＯＦＦの場合はＥＰＧ表示消去（ＥＰＧ表示待機）となり、情報無し時の設定が表示ＯＮの場合はＥＰＧ表示（ＳＫＩＰする）となる（図２参照。）。実際の表示画面で説明する（図３〜図６参照。）。この表示画面は、横軸がチャンネル選択軸であり、縦軸が時間軸であり、時間経過とともに番組表は上方にスクロールされていく構造である。放送可能な全チャンネルがＣｈ１〜Ｃｈ１０の１０あると仮定する。そのうちユーザーがＣｈ１とＣｈ２とＣｈ３とＣｈ４の４つのチャンネルを選択した場合、番組表は３つのチャンネルの番組表から構成されたものとなる（図３参照。）。図３の表示画面の段階では、４つのチャンネルが放送中で、そのうちＣｈ２とＣｈ４が最終番組（２−１と４−１）の放送中で、放送終了が近づいている。カーソルはこの番組表の中を縦横とも普通に移動できる。図４の表示画面の段階では、Ｃｈ１とＣｈ２の２つの番組（１−１と３−１）はまだ放送中であり、Ｃｈ２とＣｈ４は放送が終了したため表示を消去されており、（Ａ）は消えたチャンネルを放送中のチャンネルで詰める表示方法を選択した場合の番組表であり、（Ｂ）は消えたチャンネルの場所は消えたままにしておく表示方法を選択した場合の番組表である。また、図５の表示画面では、図４（Ａ）で消えたチャンネルを放送中のチャンネルで詰めて他のＣｈ６とＣｈ７の番組表を表示した状態を示す。カーソルは図４（Ａ）の番組表の中を縦横とも普通に移動でき、図４（Ｂ）の番組表ではＣｈ１とＣｈ３を時間軸方向（縦）に普通に移動でき、Ｃｈ１とＣｈ３の間をチャンネル選択軸方向（横）にスキップ移動することができる。図６の表示画面の段階では、Ｃｈ１とＣｈ３の番組（１−６と３−６）が放送中であり、Ｃｈ２とＣｈ４の先頭番組（２−２と４−２）が放送開始されている。カーソルはこの番組表の中を縦横とも普通に移動できる。
【図面の簡単な説明】
【００２０】
【図１】番組表表示装置の構成の一例を示したブロック図。
【図２】番組表表示装置の制御の流れを示したフローチャート。
【図３】放送終了時間が近いチャンネルのある番組表を表示した画面の説明図。
【図４】放送が終了し番組表が消去されたチャンネルのある番組表を表示した画面の説明図であり、（Ａ）は消えた場所に他のチャンネルが表示を詰めた状態をあらわし、（Ｂ）は消えた場所をそのまま残した状態をあらわす。
【図５】放送が終了して番組表が消去された後、他のチャンネルのある番組表を詰めて表示した画面の説明図。
【図６】放送が開始され番組表が改めて表示されたチャンネルのある番組表を表示した画面の説明図。
【図７】従来の番組表表示装置の制御の流れを示したフローチャート。
【符号の説明】
【００２１】
２０  番組表表示装置
【図１】
2006093970.tif 000003
【図２】
2006093970.tif 000004
【図３】
2006093970.tif 000005
【図４】
2006093970.tif 000006
【図５】
2006093970.tif 000007
【図６】
2006093970.tif 000008
【図７】
2006093970.tif 000009